(57)【要約】【課題】            フードによる油煙の捕集効率のよい油煙捕集装置を得る、そしてフードや排気用送風機の大型化を伴わない油煙捕集装置を得る。【解決手段】        加熱調理台２から立昇る油煙を上方においてフード３で捕集し排気用送風機４により室外へ排気する油煙捕集装置について、加熱調理台２から立昇る油煙の捕集経路とは交わらない方向の空気流５を発生させる送風機６によって負圧領域を作り、この負圧領域によって立昇る油煙をフード３に捕集され易い方向に偏向させる。また、その空気流５の風速を８〜２６ｍ／ｓとし、本体の下方に向けて空気流５を形成するようにする。【選択図】          図２
2006046836.tif 000002
【特許請求の範囲】
【請求項１】
加熱調理台から立昇る油煙を上方においてフードで捕集し排気用送風機により室外へ排気する油煙捕集装置であって、加熱調理台から立昇る油煙の捕集経路とは交わらない方向の空気流を発生させる気流発生手段によって負圧領域を作り、この負圧領域によって立昇る油煙を前記フードに捕集され易い方向に偏向させた油煙捕集装置。
【請求項２】
請求項１に記載の油煙捕集装置であって、気流発生手段による空気流の風速を８〜２６ｍ／ｓとした油煙捕集装置。
【請求項３】
請求項１または請求項２のいずれかに記載の油煙捕集装置であって、気流発生手段を油煙捕集装置の本体に設け、この本体の下方に向けて空気流を形成する油煙捕集装置。
【請求項４】
請求項３に記載の油煙捕集装置であって、気流発生手段を本体の下からメンテナンスできるようにした油煙捕集装置。
【請求項５】
請求項１〜請求項４までのいずれかに記載の油煙捕集装置であって、気流発生手段の空気流の風速を調整できるようにした油煙捕集装置。
【請求項６】
請求項１〜請求項５までのいずれかに記載の油煙捕集装置であって、気流発生手段の空気流の吹出し方向を調整できるようにした油煙捕集装置。
【請求項７】
請求項１〜請求項６までのいずれかに記載の油煙捕集装置であって、気流発生手段の空気流が室外からの外気である油煙捕集装置。
【請求項８】
請求項１〜請求項６までのいずれかに記載の油煙捕集装置であって、気流発生手段を排気用送風機に兼備させ、空気流を排気する排気流の一部によって形成した油煙捕集装置。
【請求項９】
請求項１〜請求項８までのいずれかに記載の油煙捕集装置であって、気流発生手段の空気流の吹出口にフィルターを装着した油煙捕集装置。
【発明の詳細な説明】
【技術分野】
【０００１】
本発明は、煮炊きに伴う油煙を捕集して室外へ排気する油煙捕集装置に関するものである。
【背景技術】
【０００２】
煮炊きに伴いレンジ台等、加熱調理台から立昇る油煙をフードによって捕集して排気用送風機により室外へ排気する油煙捕集装置は、立昇る油煙を具合良くフードで捕集することが大切である。フードの外に油煙が拡散した場合、局所換気であるため、拡散した油煙を排気することが難しい。加熱調理台のワークトップからフードの吸込口に向かう空気流を形成し、油煙の押し込みを図ったり、給気流をフードの周囲から下方に吹出し、フード下部周囲にエアーカーテンを形成して油煙の拡散を防いでいる。なお、この種の油煙捕集装置についての従来技術としては特許文献１や特許文献２に開示された技術がある。
【０００３】
【特許文献１】特開２００３−１４４２５０号公報
【特許文献２】特開平４−２０８３４１号公報
【発明の開示】
【発明が解決しようとする課題】
【０００４】
従来のこの種の油煙捕集装置のうち、加熱調理台のワークトップからフードの吸込口に向かう空気流を形成し、油煙の押し込みを図るものについては、専用の加熱調理台が必要であるうえ、押し込み空気流も油煙と一緒に排気しなくてはならないため、排気風量の大きい排気用送風機が必要である。従って、排気用送風機は大型で運転音も大きくなっている。また、エアーカーテンを形成して油煙の拡散を防いでいるものでは、構造が複雑で装置が大型化するばかりでなく、加熱調理作業者にエアーカーテンの空気流が当り、作業がし難く煩わしいうえ、給気流によるエアーカーテンであるため、エアーカーテンの裾が油煙とともに排気され、いわゆる給排気短絡が起き、外部の新鮮空気を室内に取り入れて室内空気を浄化する給気機能が悪化する。そして、これもまた、エアーカーテンの一部を油煙とともに排気するため、排気用送風機も大型となる。また、従来の油煙捕集装置においては、フードを調理台の奥行きより大きくすると調理者の作業を妨げるおそれがあることから、ほぼ同じ奥行き寸法とせざるを得ず、加熱調理台の発熱部は調理者に近い位置にあることから、手前側より油煙が漏れやすいなどの問題点があった。
【０００５】
本発明は、上記した問題点を解決するためになされたものであり、その課題とするところは、フードによる油煙の捕集効率のよい油煙捕集装置を得ることであり、排気用送風機の大型化を伴わない油煙捕集装置を得ることである。そして、給排気短絡を起きなくすることも課題としている。
【課題を解決するための手段】
【０００６】
上記課題を解決するために本発明は、加熱調理台から立昇る油煙を上方においてフードで捕集し排気用送風機により室外へ排気する油煙捕集装置について、加熱調理台から立昇る油煙の捕集経路とは交わらない方向の空気流を発生させる気流発生手段によって負圧領域を作り、この負圧領域によって立昇る油煙をフードに捕集され易い方向に偏向させる手段を採用する。
【発明の効果】
【０００７】
本発明は、気流発生手段によって油煙の捕集経路とは交わらない方向の空気流を発生して負圧領域を作り出し、この負圧領域によって立昇る油煙をフードに捕集され易い方向に偏向させるため、立昇る油煙の空気流側についてはこの空気流に抱込まれず、反空気流側は誘引されてフードに捕集されることになる。従って、排気用送風機の大型化を伴わず、運転音も大きくない、フードによる油煙の捕集効率のよい油煙捕集装置が得られる。
【発明を実施するための最良の形態】
【０００８】
本発明の油煙捕集装置は、台所のレンジ等を備えた加熱調理台の上方に設けられ、加熱調理台から立昇る油煙を上方において下面の開放したフードで捕集し、排気用送風機により室外へ排気するもので、本体は、フードと、フード内に排気流を形成する排気用送風機と、空気流をフードの外に形成する気流発生手段としての送風機とから構成されている。送風機は、台所の壁面側のフード内の略中央に口径φ６．５ｍｍほどの吹出口を下向きにして設けられている。ただし、吹出口は、複数個これとは異なる口径のものでも良い。この送風機による空気流は、油煙の捕集経路とは交わらない方向に吹出されるようになっている。送風機の空気流の風速は、加熱調理台から立昇る油煙を偏向させうる値以上で、しかも立昇る油煙を巻込む値以下とされている。具体的には、８〜２６ｍ／ｓの範囲である。送風機の吸込口は、室内に臨ませても、ダクトを介して屋外に臨ませてもよい。
【０００９】
この油煙捕集装置は、送風機によって油煙の捕集経路とは交わらない方向の空気流を発生して負圧領域を作り出し、この負圧領域によって立昇る油煙をフードに捕集され易い方向に偏向させる。立昇る油煙の空気流側についてはこの空気流に油煙が抱込まれず、反空気流側については誘引されてフードに捕集されることになる。従って、排気用送風機の大型化を伴わず、運転音も大きくない、フードによる油煙の捕集効率のよい油煙捕集装置が得られる。また、構成も簡素であり大型化しない。
【００１０】
実施の形態１．
図１は、本実施の形態の油煙捕集装置を取付状態で示す正断面図、図２は、同じく側断面図、図３は、油煙捕集効果を表したシミュレーション結果を示す側断面図、図４は、空気流を止めた状態の油煙捕集効果を表したシミュレーション結果を示す側断面図、図５は、油煙捕集効果を実測に基づいて示す説明図である。本実施の形態の油煙捕集装置は、図１及び図２に示すように、台所のレンジ１等を備えた加熱調理台２の上方に設けられ、加熱調理台２から立昇る油煙を上方において下面の開放したフード３で捕集し、排気用送風機４により室外へ排気するもので、装置の本体は、フード３と、フード３内に排気流を形成する排気用送風機４と、空気流５をフード３の外に形成する送風機６とから構成されている。
【００１１】
送風機６は、台所の壁面側のフード３内の略中央に口径φ６．５ｍｍほどの吹出口７を異物が入り難い下向きにして設けられている。ただし、吹出口７は、複数個これとは異なる口径のものでも良い。吹出口７には、横並びに並ぶレンジ１の中央及び片側寄りに空気流５を向けるルーバー８が回動可能に設けられている。この送風機６による空気流５は、油煙の通常の捕集経路とは交わらない方向に吹出されるようになっている。送風機６の空気流５の風速は、加熱調理台２から立昇る油煙を偏向させうる値以上で、しかも立昇る油煙を巻込む値以下とされている。具体的には、８〜２６ｍ／ｓの範囲で調整が可能になっており、煮炊きに伴う油煙の上昇スピード等や発生量にあわせて調節する。風速の調整は、ボリューム等で行っても良いが、電磁加熱器のような場合、電磁調理器の出力に応じて、自動的に調整できるようにすることも可能である。なお、送風機６の吸込口は、本体上部において室内に臨んで開口している。
【００１２】
この油煙捕集装置は、送風機６によって油煙の捕集経路とは交わらない方向の例えば、２２．４ｍ／ｓの空気流を発生して壁面側に負圧領域を作り出し、この負圧領域によって立昇る油煙をフード３に捕集され易い方向に偏向させる。片方のレンジ１を使って煮炊きしているときには、ルーバー８を調節して空気流５の向きを煮炊きしているレンジ１の方に向ける。立昇る油煙の空気流５側についてはこの空気流５に油煙が巻き込み抱込まれず、反空気流側（調理作業面側）については大きく誘引されてフード３に捕集されることになる。図３，４において、矢印は、周囲空気の流れの向きを示し、網かけ部が風速の速い０．１ｍ／ｓ以上の箇所である。つまり、排気用送風機４の大型化を伴わず、運転音も大きくない、図５に示すように空気流５により排気風量３００〜４００ｍ３／ｈ時に７〜８％程度の捕集性向上効果が得られる。また、構成も簡素であり大型化しない。送風機６の空気流５の風速は、８〜２６ｍ／ｓの範囲で調整が可能になっており、煮炊きに伴う油煙の上昇スピード等に合わせて最適な風速を選択すればよい。なお、送風機６については、上から下に吹出す方が、排気の風量分だけ排気すれば良いので、排気風量の少ない小型の排気用送風機４で済むことになる。
【００１３】
実施の形態２．
図６によって示す本実施の形態は、送風機のメンテナンス性の改善を推進したものであり、基本部分の構成は、実施の形態１で示したものと同じである。従って、実施の形態１と同じ部分については実施の形態１のものと同じ符号を用い、それらの説明は省略する。
【００１４】
図６に示すようにこの油煙捕集装置は、空気流５を形成する送風機６が、フード３の下部に取付けられている。送風機６は、排気流の一部を吸込み、これを負圧を作り出す空気流５として下方に吹出す。送風機６がフード３の下部に取付けられているため、送風機６を取外してメンテナンスをすることができ、油煙で汚れることの多い油煙捕集装置では扱い易く、重宝である。これ以外の機能は実施の形態１のものと同じである。
【００１５】
実施の形態３．
図７によって示す本実施の形態は、送風機の吸込口をダクトを介して室外に臨ませたものであり、基本部分の構成は、実施の形態１で示したものと同じである。従って、実施の形態１と同じ部分については実施の形態１のものと同じ符号を用い、それらの説明は省略する。
【００１６】
図７に示す本実施の形態の油煙捕集装置は、送風機６の吸込口がダクトを介して室外に臨まされ、外気による空気流５がフード３の上端から下方に向かって吹出される。送風機６の吹出し側は分岐しており、外気の一部は装置本体の前部に設けられた幕板９の開口部１０から室内に給気流として吹出される。負圧を作る空気流５の吹出口７にはエアーフィルター１１が装着され、吹出し空気流に混入している塵埃が除去され、煮炊きしている食材に塵埃が混入するようなことがないようにされている。この、油煙捕集装置は、給排気による換気を行うことができ、給排気短絡も起きない。これ以外の機能は実施の形態１のものと同じである。
【００１７】
実施の形態４．
図８によって示す本実施の形態は、気流発生手段を排気用送風機に兼備させたものであり、その他の基本部分の構成は、実施の形態１で示したものと同じである。従って、実施の形態１と同じ部分については実施の形態１のものと同じ符号を用い、それらの説明は省略する。
【００１８】
図８に示す本実施の形態の油煙捕集装置は、排気用送風機４の吹出口に負圧を作り出す空気流５を形成するダクト１２が分岐して設けられている。この構成を採用することにより、気流発生手段としての送風機６が不要になり、装置の小型化、低コスト化を図ることができる。これ以外の機能は実施の形態１のものと同じである。
【図面の簡単な説明】
【００１９】
【図１】油煙捕集装置を取付状態で示す正断面図である。（実施の形態１）
【図２】油煙捕集装置を取付状態で示す側断面図である。（実施の形態１）
【図３】油煙捕集効果を表したシミュレーション結果を示す側断面図である。（実施の形態１）
【図４】空気流を止めた状態の油煙捕集効果を表したシミュレーション結果を示す側断面図である。（実施の形態１）
【図５】油煙捕集効果を実測に基づいて示す説明図である。（実施の形態１）
【図６】油煙捕集装置を取付状態で示す側断面図である。（実施の形態２）
【図７】油煙捕集装置を取付状態で示す側断面図である。（実施の形態３）
【図８】油煙捕集装置を取付状態で示す側断面図である。（実施の形態４）
【符号の説明】
【００２０】
２  加熱調理台、  ３  フード、  ４  排気用送風機、  ５  空気流、  ６  送風機、  ７  吹出口、  ８  ルーバー、  １１  エアーフィルター。
【図１】
2006046836.tif 000003
【図２】
2006046836.tif 000004
【図３】
2006046836.tif 000005
【図４】
2006046836.tif 000006
【図５】
2006046836.tif 000007
【図６】
2006046836.tif 000008
【図７】
2006046836.tif 000009
【図８】
2006046836.tif 000010